(57)【要約】【課題】  本発明は前記従来技術の課題に鑑みなされたものであり、その目的はｐＨ７．５以下で、しかも泡立ち性に優れたゲル状洗浄剤を提供することにある。【解決手段】  ポリオキシエチレンアルキルエーテルカルボン酸塩２〜１１質量％と、  キシログルカン０．５〜３質量％と、  カチオン化キサンタンガム０．２〜３質量％と、を含み、  １％水溶液のｐＨが７．５以下であることを特徴とするゲル状洗浄剤。【選択図】      なし【特許請求の範囲】
【請求項１】
ポリオキシエチレンアルキルエーテルカルボン酸塩２〜１１質量％と、
キシログルカン０．５〜３質量％と、
カチオン化キサンタンガム０．２〜３質量％と、を含み、
１％水溶液のｐＨが７．５以下であることを特徴とするゲル状洗浄剤。
【請求項２】
請求項１記載の洗浄剤において、さらに脱アシル型ジェランガム０．０１〜０．５質量％含むことを特徴とする透明ゲル状洗浄剤。
【請求項３】
請求項１又は２記載の洗浄剤において、ポリオキシエチレンアルキルエーテルカルボン酸塩は、ＰＯＥ（３〜５）ラウリルエーテルカルボン酸であることを特徴とするゲル状洗浄剤。
【請求項４】
請求項１〜３のいずれかに記載の洗浄剤において、ポリオキシエチレンアルキルエーテルカルボン酸塩の中和率は６０〜９０％であることを特徴とするゲル状洗浄剤。
【発明の詳細な説明】
【技術分野】
【０００１】
本発明はゲル状洗浄剤、特にその泡立ち性、ｐＨ特性の改良に関する。
【背景技術】
【０００２】
従来よりゲル状の洗浄剤が公知であり（特許文献１、特許文献２、特許文献３）、いずれもキシログルカン（タマリンドガム）を用いたゲルに洗浄成分を担持させている。キシログルカンの形成するゲルは、独特の弾性を有し、使用時の感触に優れるという利点があるが、一方で経時により離漿を生じやすく、また高ｐＨの影響により褐変を生じる場合もあった。
これに対し、カチオン化キサンタンガムを用いて離漿を防止するとともに、ｐＨを下げて褐変を防止する技術が、本発明者らにより提案されている（特許文献４）。
【先行技術文献】
【特許文献】
【０００３】
【特許文献１】特許第５０２０４１５号公報
【特許文献２】特許第６４２７５４０号公報
【特許文献３】特許第６２７６０７５号公報
【特許文献４】特許第６４９２１５５号公報
【発明の概要】
【発明が解決しようとする課題】
【０００４】
通常、いわゆる脂肪酸石鹸を洗浄成分として用いた洗浄剤は、比較的泡立ち性に優れるが、前記ゲル状洗浄剤にあっては、泡立ち性がやや劣る傾向にあり、また肌に対するマイルドさを考慮すれば、ｐＨも７前後であることが好ましい。
しかしながら、前記特許文献４に示すゲル状洗浄剤にあっても、これらの点には改善の余地が残されていた。
本発明は前記従来技術の課題に鑑みなされたものであり、その目的はｐＨ７．５以下で、しかも泡立ち性に優れたゲル状洗浄剤を提供することにある。
【課題を解決するための手段】
【０００５】
前記目的を達成するために、本発明にかかるゲル状洗浄剤は、
ポリオキシエチレンアルキルエーテルカルボン酸塩２〜１１質量％と、
キシログルカン０．５〜３質量％と、
カチオン化キサンタンガム０．２〜３質量％と、を含み、
１％水溶液のｐＨが７．５以下であることを特徴とする。
また、前記ゲル状洗浄剤において、さらに脱アシル型ジェランガム０．０１〜０．５質量％含むことが好適である。
また、前記ゲル状洗浄剤において、ポリオキシエチレンアルキルエーテルカルボン酸塩は、ＰＯＥ（３〜５）ラウリルエーテルカルボン酸であることが好適である。
また、前記ゲル状洗浄剤において、ポリオキシエチレンアルキルエーテルカルボン酸塩の中和率は６０〜９０％であることが好適である。
【発明の効果】
【０００６】
本発明にかかるゲル状洗浄剤は、ポリオキシエチレンアルキルエーテルカルボン酸塩を主洗浄剤として用いることにより、ｐＨ７．５以下で肌にマイルドで色調安定性もより良好であり、しかも高い泡立ち性を得ることができる。
【発明を実施するための形態】
【０００７】
以下、本発明の好適な実施形態について説明する。
（Ａ）ポリオキシエチレンアルキルエーテルカルボン酸塩
本発明のゲル状洗浄剤に主洗浄剤として配合されるポリオキシアルキルエーテルカルボン酸塩は、低刺激性のアニオン界面活性剤であり、以下の構造を有する。
Ｒ−Ｏ−（ＣＨ２ＣＨ２Ｏ）ｎＣＨ２ＣＯＯＭ
Ｒ：炭素数１２〜１８の飽和アルキル基
Ｍ：Ｎａ，Ｋ，アミン、２−アミノ−２−ヒドロキシメチル-１，３−プロパンジオール等
ｎ：平均０〜２０  好ましくは平均３〜５
特にＲがラウリル基であるポリオキシラウリルエーテルカルボン酸塩が好ましい。
本発明において採用されるポリオキシエチレンアルキルエーテルカルボン酸は、ｐＨ７前後の領域で優れた溶解性、洗浄性を有するとともに、キシログルカンによるゲル状洗浄剤として、高い起泡性を発揮することができる。
【０００８】
また、通常の脂肪酸塩は、中和度が１００％前後であることが要求され、中和度が低いと溶解性、洗浄性に劣る等の不都合を生じる。特に対イオンとしてアミン類（ジエタノールアミン、トリエタノールアミン）などを用いた場合には、適正な中和度を得るためには、理論モル量以上の対イオン添加が必要となることもある。
これに対しポリオキシエチレンアルキルエーテルカルボン酸塩は、理論モル量以下の対イオン添加でも十分な溶解性、洗浄性を発揮することができ、しかも優れた泡立ち性が得られる。本発明者らの検討によれば、理論モル量の６０％〜９０％程度の対イオン量でも必要な機能が発揮される。
【０００９】
したがって、ポリオキシエチレンアルキルエーテルカルボン酸塩の中和度は６０〜１２０％、ｐＨ抑制の観点からは６０〜９０％が好適である。
この結果、系全体のｐＨを低く（ｐＨ７．５以下）抑えることが可能となり、変色抑制、スティンギング刺激の低減、肌に対するマイルド感の向上を図ることができる。
【００１０】
また、Ｍ（対イオン）としては、Ｎａ、Ｋ，有機アミン、２−アミノ−２−ヒドロキシメチル−１，３−プロパンジオール、２−アミノ−２−メチル−１−プロパノール、２−アミノ−２−メチル−１，３−プロパンジオールなどが挙げられる。Ｎａ，Ｋなどの強アルカリであっても中和度の調整により低ｐＨの洗浄剤を得ることができるが、好ましくはジエタノールアミン、トリエタノールアミン、２−アミノ−２−ヒドロキシメチル−１，３−プロパンジオールなどのアミノ基含有化合物が好ましい。
本発明におけるポリオキシエチレンアルキルエーテルカルボン酸塩の配合量は、洗浄性の観点から組成物に対し２〜１１質量％であることが好ましい。
【００１１】
（Ｂ）キシログルカン
本発明のゲル状洗浄剤に配合されるキシログルカンは、主に熱帯地方に産する豆科植物であるタマリンダス・インディカ(Tamarindus indica) の種子の主成分であり、下記式（Ｉ）で表わされる、β−１，４グルカンからなる主鎖の一部に、側鎖としてキシロースがα−１，６結合し、キシロースの一部にはガラクトースが結合した構造を有する、分子量が数十万の多糖である。
【００１２】
【化１】
2020189956.tif 000002
【００１３】
式中、Ｇｌｃはグルコースを表し、Ｘｙｌはキシロースを表し、Ｇａｌはガラクトースを表し、ｎは結合数を表す。
【００１４】
（Ｂ）キシログルカンの配合量は、０．５〜３質量％であると、ゲル状となるため好ましい。さらに好ましくは、１〜２質量％である。０．５質量％未満であると、洗浄料がゲル化しないという理由で好ましくない場合がある。また、３質量％を超えると、洗浄料の溶解性が低下するという理由で好ましくない場合がある。
【００１５】
本発明にかかるゲル状洗浄料には、例えば市販されているキシログルカン（商品名「グリロイド６C」，大日本製薬株式会社製）を配合することができる。なお、市販品を本発明ゲル状洗浄剤に配合する場合には、可能な限り精製されたものを用いるのが好ましい。また、用いるキシログルカンの分子量は、特に限定されるものではない。
【００１６】
本発明ゲル状洗浄剤には、公知の方法、例えば、上記「グリロイド６C」の商品カタログに記載された方法で製造したキシログルカンを配合することができる。すなわち、タマリンドの種子から異物を除去し、これを水に溶解、不純物を除去して透明化した後に乾燥し、微粉砕することによって、キシログルカンを製造することができる。
【００１７】
（Ｃ）カチオン化キサンタンガム
本発明に用いるカチオン化キサンタンガムは、キサンタンガムをカチオン化変性した水溶性高分子である。キサンタンガムは、下記式（ＩＩ）に示すような構造である。
【００１８】
【化２】
2020189956.tif 000003
【００１９】
キサンタンガムをカチオン化変性することで、ゲル状洗浄剤の離漿抑制効果が向上するため、キサンタンガムを用いるよりも好適である。
【００２０】
カチオン化変性するための、カチオン化剤は、キサンタンガムに含まれる水酸基の一部を例えば第４級窒素含有基等のカチオン化基により置換するものである。かかるカチオン化剤は、例えば、２，３−エポキシプロピルトリアルキルアンモニウム塩、または３−クロロ−２−ヒドロキシプロピルトリアルキルアンモニウム塩であることが好ましい。これらの塩としては例えば、２，３−エポキシプロピルトリメチルアンモニウムクロライド、３−クロロ−２−ヒドロキシプロピルトリメチルアンモニウムクロライドが挙げられる。さらにその他のカチオン化剤としては、塩化ヘキサメトニウム、塩化デカメトニウム、フェニルトリメチルアンモニウムクロライド、ベンジルトリメチルアンモニウムクロライド、テトラノルマルブチルアンモニウムクロライド、テトラメチルアンモニウムクロライド等が挙げられる。
【００２１】
かかるカチオン化剤の添加量は、キサンタンガム１質量部に対して、例えば、０．０５〜１．５質量部とすることができる。
【００２２】
（Ｃ）カチオン化キサンタンガムとしては、キサンタンヒドロキシプロピルトリモニウムクロリドが好適に用いられる。
【００２３】
（Ｃ）カチオン化キサンタンガムの配合量は、０．２〜３質量％であると、キシログルカンゲルの増粘性を増強し、離漿を抑制するため好ましい。さらに好ましくは、０．３〜１．５質量％である。０．２質量％未満であると、離漿抑制効果が不十分であるという理由で好ましくない場合がある。また、３質量％を超えると、洗浄料の溶解性が低下するという理由で好ましくない場合がある。
【００２４】
（Ｃ）カチオン化キサンタンガムの市販品としては、例えば商品名「ラボールガムCX」DSP五協フード＆ケミカル株式会社製が挙げられる。
【００２５】
（Ｄ）脱アシル型ジェランガム
本発明において、脱アシル型ジェランガムを配合することが好ましい。
本発明において好適に用いられる脱アシル型ジェランガムは、微生物スフィンゴモナス・エロディア（Sphingomonas elodea）がブドウ糖などを栄養源として菌体外に蓄積した多糖類を、分離・精製してジェランガムを得、アシル基を除去して脱アシル型ジェランガムが得られる。
前記脱アシル型ジェランガムは、主鎖に２個のグルコース、１個のグルクロン酸、１個のラムノースの４糖が結合した、下記構成をとる。
2020189956.tif 000004
本発明において、脱アシル型ジェランガムの配合量は、組成物中０．０１〜０．５質量％が好ましく、さらに好ましくは０．０５〜０．１質量％である。
【００２６】
〈ゲル状洗浄剤の製造方法〉
上記（Ａ）〜（Ｃ） 成分を含むゲル状洗浄剤を製造するにあたっては、製造釜に、水、石鹸等の界面活性剤を仕込み加熱溶解後、グリコール等で湿潤分散したキシログルカンを添加して攪拌溶解。その後、グリセリン等を加えて増粘させ冷却する。
【００２７】
本発明のゲル状洗浄剤は、１％水溶液のｐＨが７．５以下、特に好ましくは６．０〜７．５であると、肌に対するマイルドな感覚が得られる。
【００２８】
［その他の成分］
本発明にかかるゲル状洗浄剤には、本発明の効果を損なわない範囲において、他の成分、例えば、アニオン性界面活性剤、カチオン性界面活性剤、両性界面活性剤、非イオン性界面活性剤、保湿剤、水溶性高分子、増粘剤、皮膜剤、紫外線吸収剤、金属イオン封鎖剤、低級アルコール、多価アルコール、油分、糖、アミノ酸、有機アミン、高分子エマルジョン、ｐＨ調整剤、皮膚栄養剤、ビタミン、酸化防止剤、酸化防止助剤、香料、着色剤、水等を必要に応じて適宜配合し、目的とする剤形に応じて製造することが出来る。
【００２９】
アニオン界面活性剤としては、例えば、高級アルキル硫酸エステル塩（例えば、ラウリル硫酸ナトリウム、ラウリル硫酸カリウム等）；アルキルエーテル硫酸エステル塩（例えば、ＰＯＥ−ラウリル硫酸トリエタノールアミン、ＰＯＥ−ラウリル硫酸ナトリウム等）；Ｎ−アシルサルコシン酸（例えば、ラウロイルサルコシンナトリウム等）；高級脂肪酸アミドスルホン酸塩（例えば、Ｎ−ミリストイル−Ｎ−メチルタウリンナトリウム、ヤシ油脂肪酸メチルタウリンナトリウム、ラウロイルメチルタウリンナトリウム等）；リン酸エステル塩（ＰＯＥ−オレイルエーテルリン酸ナトリウム、ＰＯＥ−ステアリルエーテルリン酸等）；スルホコハク酸塩（例えば、ジ−２−エチルヘキシルスルホコハク酸ナトリウム、モノラウロイルモノエタノールアミドポリオキシエチレンスルホコハク酸ナトリウム、ラウリルポリプロピレングリコールスルホコハク酸ナトリウム等）；アルキルベンゼンスルホン酸塩（例えば、リニアドデシルベンゼンスルホン酸ナトリウム、リニアドデシルベンゼンスルホン酸トリエタノールアミン、リニアドデシルベンゼンスルホン酸ナトリウム等）；高級脂肪酸エステル硫酸エステル塩（例えば、硬化ヤシ油脂肪酸グリセリン硫酸ナトリウム等）；Ｎ−アシルグルタミン酸塩（例えば、Ｎ−ラウロイルグルタミン酸モノナトリウム、Ｎ−ステアロイルグルタミン酸ジナトリウム、Ｎ−ミリストイル−Ｌ−グルタミン酸モノナトリウム等）；ココイルグリシン塩、ラウロイルグリシン塩等のアシルグリシン塩；硫酸化油（例えば、ロート油等）；ラウロイルメチルアラニン塩などのアシルアラニン塩；ＰＯＥ−アルキルエーテルカルボン酸；ＰＯＥ−アルキルアリルエーテルカルボン酸塩；α-オレフィンスルホン酸塩；高級脂肪酸エステルスルホン酸塩；二級アルコール硫酸エステル塩；高級脂肪酸アルキロールアミド硫酸エステル塩；ラウロイルモノエタノールアミドコハク酸ナトリウム；Ｎ−パルミトイルアスパラギン酸ジトリエタノールアミン；カゼインナトリウム等が挙げられる。
【００３０】
カチオン界面活性剤としては、例えば、アルキルトリメチルアンモニウム塩（例えば、塩化ステアリルトリメチルアンモニウム、塩化ベヘニルトリメチルアンモニウム等）；アルキルピリジニウム塩（例えば、塩化セチルピリジニウム等）；塩化ジステアリルジメチルアンモニウム、ジアルキルジメチルアンモニウム塩；塩化ポリ（Ｎ，Ｎ’−ジメチル−３，５−メチレンピペリジニウム)；アルキル四級アンモニウム塩；アルキルジメチルベンジルアンモニウム塩；アルキルイソキノリニウム塩；ジアルキルモリホニウム塩；ＰＯＥ−アルキルアミン；アルキルアミン塩；ポリアミン脂肪酸誘導体；アミルアルコール脂肪酸誘導体；塩化ベンザルコニウム；塩化ベンゼトニウム等が挙げられる。
【００３１】
両性界面活性剤としては、例えば、イミダゾリン系両性界面活性剤（例えば、２−ウンデシル−Ｎ，Ｎ，Ｎ−（ヒドロキシエチルカルボキシメチル）−２−イミダゾリンナトリウム、２−ココイル−２−イミダゾリニウムヒドロキサイド−１−カルボキシエチロキシ２ナトリウム塩、２−ヘプタデシル−Ｎ−カルボキシメチル−Ｎ−ヒドロキシエチルイミダゾリニウムベタイン等）；ベタイン系界面活性剤（例えば、ラウリルジメチルアミノ酢酸ベタイン、アルキルベタイン、アルキルアミドベタイン、アルキルスルホベタイン等）等が挙げられる。
【００３２】
親油性非イオン界面活性剤としては、例えば、ソルビタン脂肪酸エステル類（例えば、ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタン等）；グリセリンポリグリセリン脂肪酸類（例えば、モノ綿実油脂肪酸グリセリン、モノエルカ酸グリセリン、セスキオレイン酸グリセリン、モノステアリン酸グリセリン、α,α'−オレイン酸ピログルタミン酸グリセリン、モノステアリン酸グリセリンリンゴ酸等）；プロピレングリコール脂肪酸エステル類（例えば、モノステアリン酸プロピレングリコール等）；硬化ヒマシ油誘導体；グリセリンアルキルエーテル等が挙げられる。
【００３３】
親水性非イオン界面活性剤としては、例えば、ＰＯＥ−ソルビタン脂肪酸エステル類（例えば、ＰＯＥ−ソルビタンモノオレエート、ＰＯＥ−ソルビタンモノステアレート、ＰＯＥ−ソルビタンモノオレエート、ＰＯＥ−ソルビタンテトラオレエート等）；ＰＯＥ−ソルビット脂肪酸エステル類（例えば、ＰＯＥ−ソルビットモノラウレート、ＰＯＥ−ソルビットモノオレエート、ＰＯＥ−ソルビットペンタオレエート、ＰＯＥ−ソルビットモノステアレート等）；ＰＯＥ−グリセリン脂肪酸エステル類（例えば、ＰＯＥ−グリセリンモノステアレート、ＰＯＥ−グリセリンモノイソステアレート、ＰＯＥ−グリセリントリイソステアレート等のＰＯＥ−モノオレエート等）；ＰＯＥ−脂肪酸エステル類（例えば、ＰＯＥ−ジステアレート、ＰＯＥ−モノジオレエート、ジステアリン酸エチレングリコール等）；ＰＯＥ−アルキルエーテル類（例えば、ＰＯＥ−ラウリルエーテル、ＰＯＥ−オレイルエーテル、ＰＯＥ−ステアリルエーテル、ＰＯＥ−ベヘニルエーテル、ＰＯＥ−２−オクチルドデシルエーテル、ＰＯＥ−コレスタノールエーテル等）；プルロニック型類（例えば、プルロニック等）；ＰＯＥ・ＰＯＰ−アルキルエーテル類（例えば、ＰＯＥ・ＰＯＰ−セチルエーテル、ＰＯＥ・ＰＯＰ−２−デシルテトラデシルエーテル、ＰＯＥ・ＰＯＰ−モノブチルエーテル、ＰＯＥ・ＰＯＰ−水添ラノリン、ＰＯＥ・ＰＯＰ−グリセリンエーテル等）；テトラＰＯＥ・テトラＰＯＰ−エチレンジアミン縮合物類（例えば、テトロニック等）；ＰＯＥ−ヒマシ油硬化ヒマシ油誘導体（例えば、ＰＯＥ−ヒマシ油、ＰＯＥ−硬化ヒマシ油、ＰＯＥ−硬化ヒマシ油モノイソステアレート、ＰＯＥ−硬化ヒマシ油トリイソステアレート、ＰＯＥ−硬化ヒマシ油モノピログルタミン酸モノイソステアリン酸ジエステル、ＰＯＥ−硬化ヒマシ油マレイン酸等）；ＰＯＥ−ミツロウ・ラノリン誘導体（例えば、ＰＯＥ−ソルビットミツロウ等）；アルカノールアミド（例えば、ヤシ油脂肪酸ジエタノールアミド、ラウリン酸モノエタノールアミド、脂肪酸イソプロパノールアミド、コカミドメチルモノエタノールアミド等）；ＰＯＥ−プロピレングリコール脂肪酸エステル；ＰＯＥ−アルキルアミン；ＰＯＥ−脂肪酸アミド；ラウリン酸ジエチレングリコール；ショ糖脂肪酸エステル；アルキルエトキシジメチルアミンオキシド；トリオレイルリン酸等が挙げられる。
【００３４】
保湿剤としては、例えば、ポリエチレングリコール、プロピレングリコール、ジプロピレングリコール、グリセリン、１，３−ブチレングリコール、キシリトール、ソルビトール、マルチトール、コンドロイチン硫酸、ヒアルロン酸、ムコイチン硫酸、カロニン酸、アテロコラーゲン、コレステリル−１２−ヒドロキシステアレート、乳酸ナトリウム、胆汁酸塩、ｄｌ−ピロリドンカルボン酸塩、アルキレンオキシド誘導体、短鎖可溶性コラーゲン、ジグリセリン（ＥＯ）ＰＯ付加物、イザヨイバラ抽出物、セイヨウノコギリソウ抽出物、メリロート抽出物等が挙げられる。
【００３５】
天然の水溶性高分子としては、例えば、植物系高分子（例えば、アラビアガム、トラガカントガム、ガラクタン、グアガム、キャロブガム、カラヤガム、カラギーナン、ペクチン、カンテン、クインスシード(マルメロ)、アルゲコロイド(カッソウエキス)、デンプン(コメ、トウモロコシ、バレイショ、コムギ)、グリチルリチン酸）；微生物系高分子（例えば、キサンタンガム、デキストラン、サクシノグルカン、ブルラン等）；動物系高分子（例えば、コラーゲン、カゼイン、アルブミン、ゼラチン等）等が挙げられる。
【００３６】
半合成の水溶性高分子としては、例えば、デンプン系高分子（例えば、カルボキシメチルデンプン、メチルヒドロキシプロピルデンプン等）；セルロース系高分子（メチルセルロース、エチルセルロース、メチルヒドロキシプロピルセルロース、ヒドロキシエチルセルロース、セルロース硫酸ナトリウム、ヒドロキシプロピルセルロース、カルボキシメチルセルロース、カルボキシメチルセルロースナトリウム、結晶セルロース、セルロース末等）；アルギン酸系高分子（例えば、アルギン酸ナトリウム、アルギン酸プロピレングリコールエステル等）等が挙げられる。
【００３７】
合成の水溶性高分子としては、例えば、ビニル系高分子（例えば、ポリビニルアルコール、ポリビニルメチルエーテル、ポリビニルピロリドン、カルボキシビニルポリマー等）；ポリオキシエチレン系高分子（例えば、ポリエチレングリコール２０，０００、４０，０００、６０，００００のポリオキシエチレンポリオキシプロピレン共重合体、高重合ポリエチレングリコール等）；アクリル系高分子（例えば、ポリアクリル酸ナトリウム、ポリエチルアクリレート、ポリアクリルアミド等）；ポリエチレンイミン；カチオンポリマー等が挙げられる。
【００３８】
増粘剤としては、例えば、アラビアガム、カラギーナン、カラヤガム、トラガカントガム、キャロブガム、クインスシード（マルメロ）、カゼイン、デキストリン、ゼラチン、ペクチン酸ナトリウム、アラギン酸ナトリウム、メチルセルロース、エチルセルロース、ＣＭＣ、ヒドロキシエチルセルロース、ヒドロキシプロピルセルロース、ＰＶＡ、ＰＶＭ、ＰＶＰ、ポリアクリル酸ナトリウム、カルボキシビニルポリマー、ローカストビーンガム、グアガム、タマリントガム、ジアルキルジメチルアンモニウム硫酸セルロース、キサンタンガム、ケイ酸アルミニウムマグネシウム、ベントナイト、ヘクトライト、ケイ酸Ａ１Ｍｇ（ビーガム）、ラポナイト、無水ケイ酸等が挙げられる。
【００３９】
紫外線吸収剤としては、例えば、安息香酸系紫外線吸収剤（例えば、パラアミノ安息香酸(以下、ＰＡＢＡと略す)、ＰＡＢＡモノグリセリンエステル、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル、Ｎ，Ｎ−ジメチルＰＡＢＡエチルエステル等）；アントラニル酸系紫外線吸収剤（例えば、ホモメンチル-N-アセチルアントラニレート等）；サリチル酸系紫外線吸収剤（例えば、アミルサリシレート、メンチルサリシレート、ホモメンチルサリシレート、オクチルサリシレート、フェニルサリシレート、ベンジルサリシレート、ｐ−イソプロパノールフェニルサリシレート等）；桂皮酸系紫外線吸収剤（例えば、オクチルメトキシシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、オクチル−ｐ−メトキシシンナメート(２−エチルヘキシル−ｐ−メトキシシンナメート)、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル-ジパラメトキシシンナメート等）；ベンゾフェノン系紫外線吸収剤（例えば、２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホン酸塩、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等）；３−（４’−メチルベンジリデン）−ｄ，ｌ−カンファー、３−ベンジリデン−ｄ，ｌ−カンファー；２−フェニル−５−メチルベンゾキサゾール；２，２’−ヒドロキシ−５−メチルフェニルベンゾトリアゾール；２−（２’−ヒドロキシ−５’−ｔ−オクチルフェニル） ベンゾトリアゾール；２−（２’−ヒドロキシ−５’−メチルフェニルベンゾトリアゾール；ジベンザラジン；ジアニソイルメタン；４−メトキシ−４’−ｔ−ブチルジベンゾイルメタン；５−（３，３−ジメチル−２−ノルボルニリデン）−３−ペンタン−２−オン、ジモルホリノピリダジノ；２−エチルヘキシル−２−シアノ−３，３−ジフェニルアクリレート；２，４−ビス−｛［４−（２−エチルヘキシルオキシ）−２−ヒドロキシ］−フェニル｝−６−（４−メトキシフェニル）−（１，３，５）−トリアジン等が挙げられる。
【００４０】
金属イオン封鎖剤としては、例えば、１−ヒドロキシエタン−１，１−ジフォスホン酸、１−ヒドロキシエタン−１，１−ジフォスホン酸四ナトリウム塩、エデト酸二ナトリウム、エデト酸三ナトリウム、エデト酸四ナトリウム、クエン酸ナトリウム、ポリリン酸ナトリウム、メタリン酸ナトリウム、グルコン酸、リン酸、クエン酸、アスコルビン酸、コハク酸、エデト酸、エチレンジアミンヒドロキシエチル三酢酸３ナトリウム等が挙げられる。
【００４１】
低級アルコールとしては、例えば、エタノール、プロパノール、イソプロパノール、イソブチルアルコール、ｔ−ブチルアルコール等が挙げられる。
【００４２】
多価アルコールとしては、例えば、２価のアルコール（例えば、エチレングリコール、プロピレングリコール、トリメチレングリコール、１，２−ブチレングリコール、１，３−ブチレングリコール、テトラメチレングリコール、２，３−ブチレングリコール、ペンタメチレングリコール、２−ブテン−１，４−ジオール、ヘキシレングリコール、オクチレングリコール等）；３価のアルコール（例えば、グリセリン、トリメチロールプロパン等）；４価アルコール（例えば、１，２，６−ヘキサントリオール等のペンタエリスリトール等）；５価アルコール（例えば、キシリトール等）；６価アルコール（例えば、ソルビトール、マンニトール等）；多価アルコール重合体（例えば、ジエチレングリコール、ジプロピレングリコール、トリエチレングリコール、ポリプロピレングリコール、テトラエチレングリコール、ジグリセリン、ポリエチレングリコール、トリグリセリン、テトラグリセリン、ポリグリセリン等）；２価のアルコールアルキルエーテル類（例えば、エチレングリコールモノメチルエーテル、エチレングリコールモノエチルエーテル、エチレングリコールモノブチルエーテル、エチレングリコールモノフェニルエーテル、エチレングリコールモノヘキシルエーテル、エチレングリコールモノ2-メチルヘキシルエーテル、エチレングリコールイソアミルエーテル、エチレングリコールベンジルエーテル、エチレングリコールイソプロピルエーテル、エチレングリコールジメチルエーテル、エチレングリコールジエチルエーテル、エチレングリコールジブチルエーテル等）；２価アルコールアルキルエーテル類（例えば、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールブチルエーテル、ジエチレングリコールメチルエチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノブチルエーテル、プロピレングリコールイソプロピルエーテル、ジプロピレングリコールメチルエーテル、ジプロピレングリコールエチルエーテル、ジプロピレングリコールブチルエーテル等）；２価アルコールエーテルエステル（例えば、エチレングリコールモノメチルエーテルアセテート、エチレングリコールモノエチルエーテルアセテート、エチレングリコールモノブチルエーテルアセテート、エチレングリコールモノフェニルエーテルアセテート、エチレングリコールジアジベート、エチレングリコールジサクシネート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノプロピルエーテルアセテート、プロピレングリコールモノフェニルエーテルアセテート等）；グリセリンモノアルキルエーテル（例えば、キシルアルコール、セラキルアルコール、バチルアルコール等）；���アルコール（例えば、ソルビトール、マルチトール、マルトトリオース、マンニトール、ショ糖、エリトリトール、グルコース、フルクトース、デンプン分解糖、マルトース、キシリトース、デンプン分解糖還元アルコール等）；グリソリッド；テトラハイドロフルフリルアルコール；ＰＯＥ−テトラハイドロフルフリルアルコール；ＰＯＰ−ブチルエーテル；ＰＯＰ・ＰＯＥ-ブチルエーテル；トリポリオキシプロピレングリセリンエーテル；ＰＯＰ−グリセリンエーテル；ＰＯＰ−グリセリンエーテルリン酸；ＰＯＰ・ＰＯＥ−ペンタンエリスリトールエーテル、ポリグリセリン等が挙げられる。
【００４３】
単糖としては、例えば、三炭糖（例えば、Ｄ−グリセリルアルデヒド、ジヒドロキシアセトン等）；四炭糖（例えば、Ｄ−エリトロース、Ｄ−エリトルロース、Ｄ−トレオース、エリスリトール等）；五炭糖（例えば、Ｌ−アラビノース、Ｄ−キシロース、Ｌ−リキソース、Ｄ−アラビノース、Ｄ−リボース、Ｄ−リブロース、Ｄ−キシルロース、Ｌ−キシルロース等）；六炭糖（例えば、Ｄ−グルコース、Ｄ−タロース、Ｄ−ブシコース、Ｄ−ガラクトース、Ｄ−フルクトース、Ｌ−ガラクトース、Ｌ−マンノース、Ｄ−タガトース等）；七炭糖（例えば、アルドヘプトース、ヘプロース等）；八炭糖（例えば、オクツロース等）；デオキシ糖（例えば、２−デオキシ−Ｄ−リボース、６−デオキシ−Ｌ−ガラクトース、６−デオキシ−Ｌ−マンノース等）；アミノ糖（例えば、Ｄ−グルコサミン、Ｄ−ガラクトサミン、シアル酸、アミノウロン酸、ムラミン酸等）；ウロン酸（例えば、Ｄ−グルクロン酸、Ｄ−マンヌロン酸、Ｌ−グルロン酸、Ｄ−ガラクツロン酸、Ｌ−イズロン酸等）等が挙げられる。
【００４４】
オリゴ糖としては、例えば、ショ糖、グンチアノース、ウンベリフェロース、ラクトース、プランテオース、イソリクノース類、α，α-トレハロース、ラフィノース、リクノース類、ウンビリシン、スタキオースベルバスコース類等が挙げられる。
【００４５】
多糖としては、例えば、セルロース、クインスシード、コンドロイチン硫酸、デンプン、ガラクタン、デルマタン硫酸、グリコーゲン、アラビアガム、ヘパラン硫酸、ヒアルロン酸、トラガントガム、ケラタン硫酸、コンドロイチン、ムコイチン硫酸、グアガム、デキストラン、ケラト硫酸、ローカストビーンガム、サクシノグルカン、カロニン酸等が挙げられる。
【００４６】
アミノ酸としては、例えば、中性アミノ酸（例えば、スレオニン、システイン等）；塩基性アミノ酸（例えば、ヒドロキシリジン等）等が挙げられる。また、アミノ酸誘導体として、例えば、アシルサルコシンナトリウム(ラウロイルサルコシンナトリウム)、アシルグルタミン酸塩、アシルβ-アラニンナトリウム、グルタチオン、ピロリドンカルボン酸等が挙げられる。
【００４７】
有機アミンとしては、例えば、モノエタノールアミン、ジエタノールアミン、トリエタノールアミン、モルホリン、トリイソプロパノールアミン、２−アミノ−２−メチル−１,３−プロパンジオール、２−アミノ−２−メチル−１−プロパノール等が挙げられる。
高分子エマルジョンとしては、例えば、アクリル樹脂エマルジョン、ポリアクリル酸エチルエマルジョン、アクリルレジン液、ポリアクリルアルキルエステルエマルジョン、ポリ酢酸ビニル樹脂エマルジョン、天然ゴムラテックス等が挙げられる。
【００４８】
ｐＨ調整剤としては、例えば、クエン酸、乳酸−乳酸ナトリウム、クエン酸−クエン酸ナトリウム、コハク酸−コハク酸ナトリウム等の緩衝剤等が挙げられる。
ビタミン類としては、例えば、ビタミンＡ、Ｂ１、Ｂ２、Ｂ６、Ｃ、Ｅ及びその誘導体、パントテン酸及びその誘導体、ビオチン等が挙げられる。
酸化防止剤としては、例えば、トコフェロール類、ジブチルヒドロキシトルエン、ブチルヒドロキシアニソール、没食子酸エステル類等が挙げられる。
【００４９】
酸化防止助剤としては、例えば、リン酸、クエン酸、アスコルビン酸、マレイン酸、マロン酸、コハク酸、フマル酸、ケファリン、ヘキサメタフォスフェイト、フィチン酸、エチレンジアミン四酢酸等が挙げられる。
【００５０】
その他の配合可能成分としては、例えば、防腐剤（エチルパラベン、ブチルパラベン、クロルフェネシン、フェノキシエタノール等）；消炎剤（例えば、グリチルリチン酸誘導体、グリチルレチン酸誘導体、サリチル酸誘導体、ヒノキチオール、酸化亜鉛、アラントイン等）；美白剤（例えば、胎盤抽出物、ユキノシタ抽出物、アルブチン等）；各種抽出物（例えば、オウバク、オウレン、シコン、シャクヤク、センブリ、バーチ、セージ、ビワ、ニンジン、アロエ、ゼニアオイ、アイリス、ブドウ、ヨクイニン、ヘチマ、ユリ、サフラン、センキュウ、ショウキュウ、オトギリソウ、オノニス、ニンニク、トウガラシ、チンピ、トウキ、海藻等）、賦活剤（例えば、ローヤルゼリー、感光素、コレステロール誘導体等）；血行促進剤（例えば、ノニル酸ワレニルアミド、ニコチン酸ベンジルエステル、ニコチン酸β−ブトキシエチルエステル、カプサイシン、ジンゲロン、カンタリスチンキ、イクタモール、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等）；抗脂漏剤（例えば、硫黄、チアントール等）；抗炎症剤（例えば、トラネキサム酸、チオタウリン、ヒポタウリン等）；油分（スクワラン、ホホバ油、シリコーン等）等が挙げられる。
【００５１】
さらに、エデト酸二ナトリウム、エデト酸三ナトリウム、クエン酸ナトリウム、ポリリン酸ナトリウム、メタリン酸ナトリウム、グルコン酸、リンゴ酸等の金属封鎖剤、カフェイン、タンニン、ベラパミル、トラネキサム酸及びその誘導体、甘草、カリン、イチヤクソウ等の各種生薬抽出物、酢酸トコフェロール、グリチルレジン酸、グリチルリチン酸及びその誘導体又はその塩等の薬剤、ビタミンＣ、アスコルビン酸リン酸マグネシウム、アスコルビン酸グルコシド、アルブチン、コウジ酸等の美白剤、アルギニン、リジン等のアミノ酸及びその誘導体、フルクトース、マンノース、エリスリトール、トレハロース、キシリトール等の糖類等も適宜配合することができる。
【００５２】
以下、本発明の好適な実施例について説明する。
なお、以下の実施例において、評価は以下の方法により行った。
（１）起泡性
２％水溶液４００mlを２５℃、撹拌数４３００rpmでミキサー撹拌し、１分間撹拌後の液量（ml）で評価した。
◎：２０００ml以上
〇：１５００〜２０００ml
△：１０００〜１５００ml
×：１０００ml以下
（２）外観
試作２４時間後、常温における外観を評価
〇：透明
△：半透明
×：不透明
（３）高温安定性（色調）
高温安定性は、６０℃に４週間保存した後、褐変の程度を目視で観察した。
○：ほとんど褐変なし
△：やや褐変
×：褐変
（４）離漿率
ゲルを一辺約２cmの立方体に切断し、スクリュー管に密閉する。
所定温度のインキュベーターにて一週間放置後、固体ゲルを取り出し、その重量変化から離漿率を算出。
〇：２％以下
○△：２〜５％
△：５〜１０％
×：１０％以上
（５）ゲル硬度
試作２４時間後、常温においてレオメーター（８φ）にて測定した。
（６）製造性
溶融状態（８０℃）で、Ｂ型粘度計（Ｎｏ．３  １２rpm）で測定
◎：５００mPa.s以下
〇：５００〜１０００mPa.s
△：１０００〜１５００mPa.s
×：１５００mPa.s以上
（７）肌へのマイルド感
肌へのマイルド感は、スティンギング刺激の低さで評価した。
すなわち、ゲル状洗浄料を、濡らした顔に直接適用することを想定し、被検試料をイオン交換水で５０％水溶液に希釈する。
被検試料希釈液をつけた綿棒を、官能試験パネラーの頬上部から瞼下に塗布する。
塗布直後から８分間の間で感じたもっとも高い刺激スコアでスティンギング刺激性を評価する。
刺激スコア  感覚刺激評点の基準                      評点            
６      我慢できないほどの強い感覚刺激を感じる  ×
５      強い感覚刺激を感じる                    ×
４      はっきりと感覚刺激を感じる              ×
３      時々感覚刺激を感じる                    △
２      何となくむずむずする、ちくちくするなどの感覚刺激を感じる                                                                ○△
１      冷感、温感、ツッパリなど、何となく違和感を感じる
〇
０      感覚刺激を感じない                      ◎
【００５３】
まず、本発明者らは、タマリンドガムによりゲルを形成するに際し、ネイティブ型ジェランガム、脱アシル型ジェランガムの離漿抑制効果について検討を行った。
結果を表１及び表２に示す。
【００５４】
表１
2020189956.tif 000005
【００５５】
表２
2020189956.tif 000006
前記表１，２より明らかなように、ネイティブ型ジェランガム及び脱アシル型ジェランガムともに、濃度依存的に優れた離漿抑制作用を発揮した。
特に脱アシル型ジェランガムは、形成されたゲルの透明性が高く、透明ゲル状洗浄剤を得る上では好ましいものであった。
次に本発明者らは、洗浄成分を加えた場合の評価を行った。
結果を次の表３〜６に示す。
【００５６】
表３
2020189956.tif 000007
【００５７】
表４
2020189956.tif 000008
【００５８】
表５
2020189956.tif 000009
【００５９】
表６
2020189956.tif 000010
前記表３の試験例３−１と試験例３−５を比較すると、脂肪酸石鹸を洗浄成分として用いた試験例３−５では起泡性が不十分であり、これに対し試験例３−１では洗浄成分としてポリオキシエチレンアルキルエーテルカルボン酸塩を用いることにより起泡性の大幅な改善が認められた。
しかしながら、タマリンドガムにより形成されたゲルの離漿抑制という観点からは、脱アシル型ジェランガムのみでは不十分であることが理解される。
この点は、表１，２に示した結果では、ジェランガムが単独で、タマリンドガムが形成したゲルの離漿抑制効果を示したのと対照的であり、洗浄成分による離漿促進作用が推測される。
一方、表４〜５を参照すると、試験例４−１，５−１，６−１の結果よりカチオン化キサンタンガム単独の離漿抑制効果が確認された。
さらに、カチオン化キサンタンガムの存在を前提に、ジェランガムの離漿抑制増強効果が確認された。
以上の結果より、タマリンドガムによりゲル化された洗浄剤の洗浄成分として、ポリオキシエチレンアルキルエーテルカルボン酸を用いることにより、起泡性の大幅な向上とともに、ｐＨを７．５以下に抑制することが可能となり、肌に対する感触もマイルドになる。
【００６０】
次に本発明者らは、ポリオキシエチレンアルキルエーテルカルボン酸の対イオンについて検討を行った。
結果を次の表７に示す。
【００６１】
表７
2020189956.tif 000011
表７より明らかなように、中和剤として水酸化ナトリウム、水酸化カリウム、トロメタミン（２−アミノ−２−ヒドロキシメチル−１，３−プロパンジオール）等の有機アミンを用いた場合にも、前記同様に優れた効果が発揮される。
しかも、中和剤の添加量は理論中和量未満であっても、６０〜９０％程度であれば、その効果を発揮することが明らかとなった。
また、表８に示すように、以上のような本発明の特性は、ポリオキシエチレンアルキルエーテルカルボン酸に共通してみられるものであることが明らかとなった。
【００６２】
表８
2020189956.tif 000012
【００６３】
次に本発明者らは、ポリオキシエチレンアルキルエーテルカルボン酸を用いた場合の、肌に対するマイルドさをスティンギング刺激性により評価した。
結果を表９に示す。
【００６４】
表９
2020189956.tif 000013
表９より明らかなように、脂肪酸石鹸を用いた場合にはｐＨが高く、特にラウリン酸を主脂肪酸として用いた試験例９−２はスティンギング刺激が高い傾向が認められた。
しかしながら、ポリオキシエチレンアルキルエーテルカルボン酸を用いた場合（試験例９−１）には、ｐＨを７．５以下に抑えつつ十分な起泡性を得ることができ、しかもスティンギング刺激も低いことが理解できる。また基剤としての色調安定性が良好であるため、
様々の色調に着色しても変色することがない。
さらに表１０に示すように、中和剤としてトロメタミンを用い、また他のアニオン界面活性剤としてラウロイルメチルアラニンナトリウムを用いた場合にも、刺激性、起泡性を含め高い機能を有していた。
【００６５】
表１０
2020189956.tif 000014
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
ポリオキシエチレンアルキルエーテルカルボン酸塩２〜１１質量％と、
キシログルカン０．５〜３質量％と、
カチオン化キサンタンガム０．２〜３質量％と、を含み、
１％水溶液のｐＨが７．５以下であり、
ポリオキシエチレンアルキルエーテルカルボン酸塩の中和率は６０〜９０％である
ことを特徴とするゲル状洗浄剤。
【請求項２】
請求項１記載の洗浄剤において、さらに脱アシル型ジェランガム０．０１〜０．５質量％含むことを特徴とする透明ゲル状洗浄剤。
【請求項３】
請求項１又は２記載の洗浄剤において、ポリオキシエチレンアルキルエーテルカルボン酸塩は、ＰＯＥ（３〜５）ラウリルエーテルカルボン酸であることを特徴とするゲル状洗浄剤。